【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
眼の眼内標的を改質するためのシステムであって、
治療ビームを生成するように構成された電磁ビーム源と、
前記治療ビームを焦点に合焦させ、当該焦点を前記眼内の複数の位置へスキャンするように構成された光学系と、
前記治療ビーム焦点の位置から反射される電磁線を受容して、当該反射された電磁線の強度信号を測定するように構成された検出器と、
前記光学系及び前記検出器に結合され、前記焦点位置から反射される前記電磁線の前記測定される強度信号に部分的に基づくフィードバックループを用いて前記治療ビームの前記焦点の引き続いての位置を特定するように構成された制御部と、
を備えたことを特徴とするシステム。
【請求項２】
前記検出器は、共焦点検出器を有する
ことを特徴とする請求項１に記載のシステム。
【請求項３】
前記治療ビームの前記焦点の深さは、前記制御部によってディザー処理（dither）される
ことを特徴とする請求項１に記載のシステム。
【請求項４】
前記制御部は、前記治療ビームの前記焦点を、後方深さから前方深さに向けてスキャンする
ことを特徴とする請求項３に記載のシステム。
【請求項５】
前記フィードバックループは、部分的に前記測定される強度信号の位相情報に基づいている
ことを特徴とする請求項１に記載のシステム。
【請求項６】
前記制御部は、前記治療ビームの前記引き続いての位置を、前記測定された強度信号を上方閾値及び下方閾値に対して比較することで特定し、
前記特定される引き続いての位置は、前記焦点位置から反射される前記電磁線の前記測定される強度信号が前記上方閾値よりも上方にある時、前記焦点位置の深さよりも小さい深さを有し、
前記特定される引き続いての位置は、前記焦点位置から反射される前記電磁線の前記測定される強度信号が前記下方閾値よりも下方にある時、前記焦点位置の深さよりも大きい深さを有する
ことを特徴とする請求項１に記載のシステム。
【請求項７】
前記特定される引き続いての位置は、前記焦点位置から反射される前記電磁線の前記測定される強度信号が前記下方閾値よりも上方にあって前記上方閾値よりも下方にある時、前記焦点位置の深さに等しい深さを有する
ことを特徴とする請求項６に記載のシステム。
【請求項８】
前記電磁ビーム源は、更に、画像化ビームを生成するように構成されており、
前記光学系は、更に、前記画像化ビームを前記眼内の複数の位置に合焦してスキャンするように構成されている
ことを特徴とする請求項１に記載のシステム。
【請求項９】
眼の眼内標的を改質する方法であって、
治療ビームを前記眼内の第１位置で焦点に合焦させて、当該第１位置の組織を治療的に変造させるステップと、
前記治療ビームに応じて前記第１位置から反射される電磁線の強度信号を測定するステップと、
前記第１位置から反射される前記電磁線の前記測定された強度信号を用いて、前記眼内の第２位置を特定するステップと、
前記第２位置に向けて前記焦点をスキャンして、当該第２位置の組織を前記治療ビームで変造させるステップと、
を備えたことを特徴とする方法。
【請求項１０】
前記眼内標的は、前記眼の水晶体曩であり、
前記水晶体曩は、前記眼の水晶体を取り囲んでおり、
前記方法は、更に、
前記眼内で画像化ビームの焦点をスキャンするステップと、
前記画像化ビームに応じて焦点位置から反射される電磁線の強度信号を測定して前記眼の水晶体曩の位置を特定するステップと、
前記治療ビームを前記水晶体曩と整列させるステップと、
を備えたことを特徴とする請求項９に記載の方法。
【請求項１１】
単一の電磁線ビーム源によって、前記治療ビーム及び前記画像化ビームを生成するステップ
を更に備えたことを特徴とする請求項１０に記載の方法。
【請求項１２】
前記強度信号は、共焦点検出器によって測定される
ことを特徴とする請求項９に記載の方法。
【請求項１３】
前記眼内の複数の異なる位置へ前記治療ビームの焦点をスキャンするステップ
を更に備えたことを特徴とする請求項９に記載の方法。
【請求項１４】
前記治療ビームの前記焦点の深さは、ディザー処理（dither）される
ことを特徴とする請求項１３に記載の方法。
【請求項１５】
前記焦点は、後方深さから前方深さに向けてスキャンされる
ことを特徴とする請求項１４に記載の方法。
【請求項１６】
前記治療ビームの前記焦点は、ｘｙ方向にスキャンされる
ことを特徴とする請求項１４に記載の方法。
【請求項１７】
前記眼内の前記第２位置は、部分的に前記測定された強度信号の位相情報に基づいて特定される
ことを特徴とする請求項１３に記載の方法。
【請求項１８】
前記第２位置は、前記測定された強度信号を、上方閾値及び下方閾値に対して比較することで特定され、
前記特定される第２位置は、前記第１位置から反射される前記電磁線の前記測定される強度信号が前記上方閾値よりも上方にある時、前記第１位置の深さよりも小さい深さを有し、
前記特定される第２位置は、前記第１位置から反射される前記電磁線の前記測定される強度信号が前記下方閾値よりも下方にある時、前記第１位置の深さよりも大きい深さを有する
ことを特徴とする請求項９に記載の方法。
【請求項１９】
前記特定される第２位置は、前記第１位置から反射される前記電磁線の前記測定される強度信号が前記下方閾値よりも上方にあって前記上方閾値よりも下方にある時、前記第１位置に等しい深さを有する
ことを特徴とする請求項１８に記載の方法。
【請求項２０】
眼の眼内標的を改質するためのコンピュータ実行可能な指令のセットを有する、一時的でない（non-transitory）コンピュータ可読の記憶媒体であって、
コンピュータプロセッサによる前記指令の実施は、当該プロセッサをして、以下のステップ、すなわち、
治療ビームを前記眼内の第１位置で焦点に合焦させるステップと、
前記治療ビームを合焦させるステップに応じて前記第１位置において前記治療ビームから反射される電磁線の強度信号を受容するステップと、
前記第１位置の前記焦点から反射される前記電磁線の前記受容された強度信号に部分的に基づくフィードバックループを用いて、前記焦点の第２位置を決定するステップと、
を実施させる
ことを特徴とする一時的でないコンピュータ可読の記憶媒体。
【請求項２１】
前記眼内標的は、前記眼の水晶体曩であり、
前記水晶体曩は、前記眼の水晶体を取り囲んでおり、
前記コンピュータプロセッサによる前記指令の実施は、当該プロセッサをして、更に、
前記眼内で画像化ビームの焦点をスキャンするステップと、
前記画像化ビームに応じて前記焦点位置から反射される電磁線の強度信号を受容して前記眼の水晶体曩の位置を特定するステップと、
前記治療ビームを前記水晶体曩と整列させるステップと、
を実施させる
ことを特徴とする請求項２０に記載の一時的でないコンピュータ可読の記憶媒体。
【請求項２２】
前記コンピュータプロセッサによる前記指令の実施は、当該プロセッサをして、更に、
単一の電磁線ビーム源によって、前記治療ビーム及び前記画像化ビームを生成するステップ
を実施させる
ことを特徴とする請求項２１に記載の一時的でないコンピュータ可読の記憶媒体。
【請求項２３】
前記受容される強度信号は、共焦点検出器によって測定される
ことを特徴とする請求項２０に記載の一時的でないコンピュータ可読の記憶媒体。
【請求項２４】
前記コンピュータプロセッサによる前記指令の実施は、当該プロセッサをして、更に、前記眼内の複数の異なる位置へ前記治療ビームの焦点をスキャンするステップ
を実施させる
ことを特徴とする請求項２０に記載の一時的でないコンピュータ可読の記憶媒体。
【請求項２５】
前記治療ビームの前記焦点の深さは、ディザー処理（dither）される
ことを特徴とする請求項２４に記載の一時的でないコンピュータ可読の記憶媒体。
【請求項２６】
前記焦点は、後方深さから前方深さに向けてスキャンされる
ことを特徴とする請求項２５に記載の一時的でないコンピュータ可読の記憶媒体。
【請求項２７】
前記治療ビームの前記焦点は、当該治療ビームの伝搬方向を横切るｘｙ方向にスキャンされる
ことを特徴とする請求項２５に記載の一時的でないコンピュータ可読の記憶媒体。
【請求項２８】
前記眼内の前記第２位置は、部分的に前記強度信号の位相情報に基づいて決定される
ことを特徴とする請求項２４に記載の一時的でないコンピュータ可読の記憶媒体。
【請求項２９】
前記第２位置は、前記測定された強度信号を、上方閾値及び下方閾値に対して比較することで決定され、
前記特定される第２位置は、前記第１位置から反射される前記電磁線の前記測定される強度信号が前記上方閾値よりも上方にある時、前記第１位置の深さよりも小さい深さを有し、
前記特定される第２位置は、前記第１位置から反射される前記電磁線の前記測定される強度信号が前記下方閾値よりも下方にある時、前記第１位置の深さよりも大きい深さを有する
ことを特徴とする請求項２０に記載の一時的でないコンピュータ可読の記憶媒体。
【請求項３０】
前記特定される第２位置は、前記第１位置から反射される前記電磁線の前記測定される強度信号が前記下方閾値よりも上方にあって前記上方閾値よりも下方にある時、前記第１位置の深さに等しい深さを有する
ことを特徴とする請求項２９に記載の一時的でないコンピュータ可読の記憶媒体。